(57)【要約】【課題】移動可能な複数の光学手段を備えた沈胴型のレンズ鏡筒において、撮影位置から沈胴位置へ光学手段を退避させる動作に要する移行時間を短縮すること。【解決手段】レンズ鏡筒は、複数の撮影光軸に沿ってそれぞれ移動可能な光学ユニットを備える。第１レンズ群ユニット１０は第１撮影光軸上に常時位置し、第２レンズ群ユニット２０は、第１撮影光軸に進入する撮影位置と退避位置との間を移動する。第３レンズ群ユニット３０は、第１撮影光軸に進入する撮影位置と退避位置との間を移動する。第１レンズ群ユニット１０よりも被写体側に配置されたバリアユニット７０は１群レンズを外部の露出させる開口部を開閉する。撮影位置（θ０）から沈胴位置（θ９）への移行動作において、第３レンズ群ユニット３０の退避動作中（θ２〜θ８）に、第２レンズ群ユニット２０の退避動作（θ３〜θ４）とバリアユニット７０の閉じ動作（θ５〜θ７）が完了する。【選択図】図１５
2014115536.tif 000002
【特許請求の範囲】
【請求項１】
第１撮影光軸に沿って移動する第１光学ユニットと、当該第１撮影光軸に対して非平行である第２撮影光軸に沿って移動する第２光学ユニットを備えるレンズ鏡筒であって、
前記第１光学ユニットは、前記第１撮影光軸上の撮影位置と前記第１撮影光軸から退避する退避位置との間を移動する第１光学手段及び該第１光学手段を移動させる第１駆動手段を備え、
前記第２光学ユニットは、前記第１撮影光軸の方向に沿って入射する光束を前記第２撮影光軸の方向に導くとともに、前記第１撮影光軸上の撮影位置と前記第１撮影光軸から退避する退避位置との間を移動する第２光学手段及び該第２光学手段を移動させる第２駆動手段を備え、
前記第２光学手段が前記第２駆動手段により前記撮影位置から退避位置へ移動する退避動作中に、前記第１駆動手段により前記第１光学手段を前記撮影位置から退避位置へ移動させる退避動作が終了することを特徴とするレンズ鏡筒。
【請求項２】
前記第１光学ユニットは、レンズを露出させる開口部を開閉するバリア手段及びその駆動手段を有し、
前記第２光学手段が前記第２駆動手段により前記撮影位置から退避位置へ移動する動作中に、前記バリア手段により前記開口部を閉じる動作が終了することを特徴とする請求項１に記載のレンズ鏡筒。
【請求項３】
前記第１光学手段が前記退避位置へ移動する動作期間と、前記バリア手段により前記開口部を閉じる動作期間とが重複しないことを特徴とする請求項２に記載のレンズ鏡筒。
【請求項４】
前記第２光学手段は、前記撮影位置にて前記第１撮影光軸及び前記第２撮影光軸に対して傾斜した状態となる反射面を有する光学部材を備えることを特徴とする請求項１ないし３のいずれか１項に記載のレンズ鏡筒。
【請求項５】
前記第２光学手段は前記光学部材を保持する保持部材を回転し得る状態で支持する回転支持手段を有しており、
前記第２光学手段が前記退避動作を開始すると前記保持部材が回転し前記第２撮影光軸に沿って前記退避位置へ移動することを特徴とする請求項４に記載のレンズ鏡筒。
【請求項６】
前記保持部材の回転が開始した後で前記第１光学手段の退避動作が開始し、前記第１光学手段の退避動作が終了した後で前記第２光学手段が前記第２撮影光軸に沿って前記退避位置へ移動することを特徴とする請求項５に記載のレンズ鏡筒。
【請求項７】
前記第１光学手段の被駆動部と、前記第２光学手段の被駆動部を、前記第１撮影光軸に沿う方向から見た場合に前記第２撮影光軸を挟んで対向する位置に配置したことを特徴とする請求項１ないし６のいずれか１項に記載のレンズ鏡筒。
【請求項８】
前記第１光学手段の被駆動部と、前記バリア手段の被駆動部を、前記第１撮影光軸に沿う方向から見た場合に前記第２撮影光軸を挟んで対向する位置に配置したことを特徴とする請求項２ないし７のいずれか１項に記載のレンズ鏡筒。
【請求項９】
請求項１ないし８のいずれか１項に記載のレンズ鏡筒を備えることを特徴とする光学機器。
【請求項１０】
請求項１ないし８のいずれか１項に記載のレンズ鏡筒を備えることを特徴とする撮像装置。 
【発明の詳細な説明】
【技術分野】
【０００１】
本発明は、撮影位置と退避位置との間で移動する光学要素を有するレンズ鏡筒、光学機器、及び撮像装置に関するものである。
【背景技術】
【０００２】
従来、撮像装置に適用されるレンズ鏡筒として、レンズ群を撮影位置と沈胴位置との間で移動させる沈胴型の構成が知られている。特許文献１の開示の撮像装置では、撮影位置と沈胴位置との間の移行動作中に、第３レンズ保持枠の退避動作と、バリアの開閉動作が異なるタイミングで行われる。
【０００３】
特許文献２の開示の撮像装置では、撮影位置と沈胴位置との間の移行動作の際、まず、第１撮影光軸を９０°の角度で折り曲げる機能をもつ第３レンズ群を撮影光軸上から退避させる。その後、第３レンズ群より物体側に配置された第２レンズ群が撮影光軸上から退避する。
【先行技術文献】
【特許文献】
【０００４】
【特許文献１】特開２００８−２４２３９６号公報
【特許文献２】特開２００９−１８１１０２号公報
【発明の概要】
【発明が解決しようとする課題】
【０００５】
従来のレンズ鏡筒においては、撮影位置から沈胴位置へのレンズ移動の際、以下に示す課題がある。
前記特許文献１に開示の構成では、撮影光軸上の位置と、撮影光軸からの退避位置との間で移動する第３レンズ保持枠の退避動作と、第３レンズ保持枠より対物側に配置されたバリアの開閉動作とのタイミングが開示されている。しかし、さらに他のレンズ群の退避動作を必要とする構成の場合、撮影位置から沈胴位置への移行時間が長くなるという問題ある。また、第３レンズ保持枠を退避動作させる駆動部と、バリアを開閉動作させる駆動部が同軸上に配置されているため、基部にこじれが発生した場合、駆動負荷が増加するという問題がある。
【０００６】
前記特許文献２に開示の構成では、第３レンズ群を撮影光軸上から退避させた後、第２レンズ群を撮影光軸上から退避させるため、撮影位置から沈胴位置への移行時間が長くなるという問題がある。
本発明は、移動可能な複数の光学手段を備えた沈胴型のレンズ鏡筒において、撮影位置から沈胴位置へ光学手段を退避させる動作に要する移行時間の短縮化を目的とする。
【課題を解決するための手段】
【０００７】
上記課題を解決するために、本発明に係る装置は、第１撮影光軸に沿って移動する第１光学ユニットと、当該第１撮影光軸に対して非平行である第２撮影光軸に沿って移動する第２光学ユニットを備えるレンズ鏡筒であって、前記第１光学ユニットは、前記第１撮影光軸上の撮影位置と前記第１撮影光軸から退避する退避位置との間を移動する第１光学手段及び該第１光学手段を移動させる第１駆動手段を備え、前記第２光学ユニットは、前記第１撮影光軸の方向に沿って入射する光束を前記第２撮影光軸の方向に導くとともに、前記第１撮影光軸上の撮影位置と前記第１撮影光軸から退避する退避位置との間を移動する第２光学手段及び該第２光学手段を移動させる第２駆動手段を備える。前記第２光学手段が前記第２駆動手段により前記撮影位置から退避位置へ移動する退避動作中に、前記第１駆動手段により前記第１光学手段を前記撮影位置から退避位置へ移動させる退避動作が終了する。
【発明の効果】
【０００８】
本発明によれば、移動可能な複数の光学手段を備えた沈胴型のレンズ鏡筒において、撮影位置から沈胴位置への光学手段の退避動作に要する移行時間を短縮することができる。
【図面の簡単な説明】
【０００９】
【図１】図２ないし図１６と併せて本発明の実施形態を説明するために、本実施形態に係る撮像装置の沈胴状態を示す横断面図である。
【図２】本実施形態に係る撮像装置の撮影可能状態を示す横断面図である。
【図３】第１光学ユニットの構成例を示す分解斜視図である。
【図４】第２レンズ群ユニットの構成例を示す分解斜視図である。
【図５】バリアユニットの構成例を示す分解斜視図である。
【図６】第２光学ユニットの構成例を示す分解斜視図である。
【図７】第３レンズ群ユニットの構成例を示す分解斜視図である。
【図８】第３レンズ枠の被駆動軸が直進筒の孔に挿入された状態を示す部分斜視図である。
【図９】第２光学ユニットの撮影可能状態を示す背面図である。
【図１０】２群レンズの移動を（Ａ）ないし（Ｃ）に示す縦断面図である。
【図１１】２群レンズの回動を（Ａ）ないし（Ｃ）に示す正面図である。
【図１２】第３レンズ群ユニットの状態を（Ａ）ないし（Ｄ）に示す横断面図である。
【図１３】バリア駆動リングの状態を（Ａ）及び（Ｂ）に示す縦断面図である。
【図１４】バリア開閉動作を（Ａ）及び（Ｂ）に示す正面図である。
【図１５】固定筒内周面のカム軌跡と各部の動作タイミングとの関係を説明する図である。
【図１６】１群レンズと２群レンズとのレンズ間隔を示す横断面図である。
【発明を実施するための形態】
【００１０】
以下に、本発明の実施形態について、図面を参照して詳細に説明する。本発明はレンズ鏡筒、及び該レンズ鏡筒を有する各種の光学機器、撮像装置に適用できる。
図１から図９は、本実施形態に係るレンズ鏡筒を備えた撮像装置としてのデジタルカメラの構成例を示す。
図１は撮像装置の沈胴状態を示す横断面図である。図２は撮像装置の撮影可能状態を示す横断面図である。以下、光軸方向被写体側を前側（繰出し方向）、光軸方向撮像素子側を後側とし、光軸に直交する方向であって光軸に近づく側（レンズ鏡筒の径方向内側）を内側と定義して各部の位置関係を説明する。
【００１１】
撮像装置は、１群レンズＬ１、２群レンズＬ２、３群レンズＬ３、４群レンズＬ４、５群レンズＬ５、６群レンズＬ６から構成される撮像光学系を備える。１群レンズＬ１は第１撮影光軸Ａ上に位置して前後に進退可能（光軸方向に移動可能）である。２群レンズＬ２は図１に示すように、第１撮影光軸Ａから当該光軸に直交する方向にシフトした第１位置と、図２に示すように、第１撮影光軸Ａ上に位置した第２位置との間で移動可能である。第２位置にて２群レンズＬ２の凸面は、１群レンズＬ１の凹面（背面）に対向した撮影位置となる。また、３群レンズＬ３は、第１撮影光軸Ａ方向に沿って入射する光束を第２撮影光軸Ｂ（第１撮影光軸Ａに対して非平行に配置される）の方向に折り曲げて、撮像素子Ｓの結像面に導くプリズムを含む。本実施形態では、第２撮影光軸Ｂが第１撮影光軸Ａに対してなす角度は９０度である。３群レンズＬ３は図１に示すように２群レンズＬ２に近接した第１位置と、図２に示すように第１撮影光軸Ａ上にある第２位置との間を移動可能である。３群レンズＬ３は第１位置にて直角部が前方を向き、また第２位置では、図２の反時計回り方向に回転して反射面Ｌ３ａが２つの光軸Ａ及びＢに対して４５度の角度で傾斜している。
４群レンズＬ４、５群レンズＬ５、６群レンズＬ６は第２撮影光軸Ｂ上に位置しており、当該第２撮影光軸Ｂの方向に沿って移動可能である。
【００１２】
図３は第１撮影光軸Ａに沿った方向（以下、Ａ方向という）へ進退する第１光学ユニット１００の構成を示す斜視図である。第１光学ユニット１００は、直進筒７、カム筒８、固定筒９、第１レンズ群ユニット１０、第２レンズ群ユニット２０、バリアユニット７０、ズームカバー部８１を備える。図４は第２レンズ群ユニット２０の構成例を示す分解斜視図である。第２レンズ群ユニット２０は、カム筒８を用いた第１駆動手段により、第１撮影光軸Ａ上の撮影位置と第１撮影光軸Ａからの退避位置との間を移動する可動光学手段（第１光学手段）である。図５はバリアユニット７０の構成例を示す分解斜視図である。
【００１３】
直進筒７は、第１レンズ群ユニット１０、第２群レンズ群ユニット２０を回転規制する部材である。直進筒７の外周面には、後端寄りの位置に複数の突部７ａが形成されている。複数の突部７ａは、カム筒８の内周面にて対応する位置に形成した溝部８ａ（図２参照）と係合する。これにより直進筒７はカム筒８に対して回転可能に支持され、カム筒８と一体にＡ方向に進退する。また、直進筒７の外周面の後端部には３本の直進キー７ｂが形成されており、固定筒９の内周面に形成した３本の直進溝９ａとそれぞれ係合することで、直進筒７が固定筒９により回転規制される。直進筒７の内周面の後端側に形成されたカム部７ｆ（図８参照）は、沈胴状態への移行動作において、後述する３群レンズ枠３２の被駆動軸３２ｃを押圧する。この押圧により、３群レンズ枠３２を含む第３レンズ群ユニット３０は第１撮影光軸Ａと第２撮影光軸Ｂから退避する。その詳細については後述する。
【００１４】
カム筒８は、第１レンズ群ユニット１０と第２群レンズ群ユニット２０をＡ方向に進退可能に支持する。カム筒８の外周面には後端側に３本のカムピン８ｂが形成され、固定筒９の内周面に形成した３本のカム溝９ｂとそれぞれ係合する。これによりカム筒８は固定筒９に対して回転可能に支持され、カム溝９ｂに沿ってＡ方向に進退する。また、カム筒８の外周面の後端側にはギア部（不図示）が形成されており、後述するカム筒駆動装置９０（図６参照）に連結されている。
【００１５】
固定筒９は第１光学ユニット１００を支持し、固定地板８０に固定されている。固定地板８０は、第１光学ユニット１００と、後述する第２光学ユニット２００を支持する。固定地板８０には、沈胴状態において、後述する２群レンズ枠２２の被駆動部２２ｂが当接する２群駆動部８０ａと、後述するバリア駆動リング７１の被駆動部７１ａが当接するバリア駆動部８０ｂが形成されている。２群駆動部８０ａと、バリア駆動部８０ｂとは、第２撮影光軸Ｂを基準として対向する位置に形成されている。それらの詳細については後述する。カバー部８１は、第２光学ユニット２００及び後述するギア部９０ｂ（図６参照）を覆い、固定地板８０に固定されている。
第１レンズ群ユニット１０は、１群レンズＬ１、１群レンズ枠１１、１群鏡筒１２を備える。１群レンズＬ１は接着または加締めにより１群レンズ枠１１に固定されている。その詳細については、図１６を用いて後述する。
１群レンズ枠１１は１群鏡筒１２に固定されている。１群鏡筒１２は、その外周面の後端部に３本のカムピン１２ａと、３本のサブカムピン１２ｂを備える。カムピン１２ａは、カム筒８の内周面に形成されたカム溝８ｃとそれぞれ係合する。また、サブカムピン１２ｂは、カム筒８の内周面に形成されたカム溝８ｄとそれぞれ係合する。これらの係合により、１群鏡筒１２がカム筒８に支持される。そして１群鏡筒１２は、カム筒８のカム溝８ｃとカム溝８ｄに沿ってＡ方向に進退する。また、１群鏡筒１２は内周面に３本の直進キー（不図示）を備える。１群鏡筒１２の内周面に形成された３本の直進キーは、直進筒７の外周面に形成された３本の直進溝７ｃにそれぞれ係合する。これらの係合により、１群鏡筒１２は直進筒７に回転規制される。
【００１６】
第２レンズ群ユニット２０は、図４に示すように、２群レンズＬ２、２群地板２１、２群レンズ枠２２、２群圧縮トーションスプリング２３、２群ガイド軸２４を備える。２群レンズ枠２２は２群レンズＬ２の保持部材である。２群レンズＬ２は、接着または加締めにより２群レンズ枠２２に固定される。その詳細については図１６を用いて後述する。
２群地板２１は、外周部に３本のカムピン２１ａを有する。２群地板２１の外周部に形成された３本のカムピン２１ａは、カム筒８の内周面に形成された３本のカム溝８ｅとそれぞれ係合する。これらの係合により、２群地板２１はカム筒８に支持されるとともに、カム溝８ｅに沿ってＡ方向に進退する。また、カムピン２１ａに近接した箇所にそれぞれ形成した直進キー２１ｂは、直進筒７に形成された３本の直進溝７ｄとそれぞれ係合する。これらの係合により、２群地板２１の回転が規制される。
【００１７】
２群レンズ枠２２は、外周部に嵌合部２２ａを有する。嵌合部２２ａは２群地板２１に形成した孔２１ｅに挿入され、第１撮影光軸Ａと平行に配置される２群ガイド軸２４により２群地板２１に対して２群レンズ枠２２が回動可能に支持されている。これによって２群レンズ枠２２は光軸に直交する方向に回動可能である。圧縮トーションスプリング２３は、第１撮影光軸Ａに対して２群レンズＬ２の光軸が一致する位置（以下、撮影位置という）へ回動する方向（図４の矢印Ｆ方向）へ２群レンズ枠２２を付勢する。被駆動部２２ｂは２群レンズ枠２２にて第１撮影光軸Ａに平行な方向に延在し、沈胴状態において固定地板８０の２群駆動部８０ａに当接する。また、２群レンズ枠２２の被駆動部２２ｂと略対向する位置に形成された突起部２２ｃは、２群レンズＬ２の撮影位置（第１撮影光軸Ａと２群レンズＬ２の光軸が一致する位置）にて２群地板２１の位置規制部２１ｃと当接する。
【００１８】
圧縮トーションスプリング２３は、２群レンズ枠２２の嵌合部２２ａの外周に挿合され、２群地板２１と２群レンズ枠２２との間に配置される。圧縮トーションスプリング２３はコイル部２３ａと２つの腕部２３ｂを有する。コイル部２３ａは、２群レンズ枠２２を前方（図４の矢印Ｃ方向）へ付勢する。また、一方の腕部２３ｂは２群地板２１に形成したバネ掛け用の孔部２１ｆに引っ掛けられ、他方の腕部２３ｂは２群レンズ枠２２に形成したバネ掛け用のフック（不図示）に引っ掛けられている。この圧縮トーションスプリング２３の構成により、２群レンズ枠２２には前方から見て時計回り方向（図４の矢印Ｆ方向）への回転力が働き、第１撮影光軸Ａ上に進入する方向へ付勢されている。
【００１９】
バリアユニット７０は、図５に示すように、バリア駆動リング７１、バリアスプリング７２、バリア羽根７３、バリア羽根７４、バリア羽根７５、固定テープ７６、バリアカバー７７を備える。バリア駆動リング７１は１群鏡筒１２にて回転可能に支持され、一対のバリア羽根群を駆動する駆動手段を構成する。各バリア羽根群は３枚のバリア羽根７３、７４、７５で構成される。バリア駆動リング７１は、Ａ方向に延びる被駆動部７１ａを備える。被駆動部７１ａは沈胴状態において、固定地板８０のバリア駆動部８０ｂ（図６参照）に当接する。３枚一組のバリア羽根７３、７４、７５は１群レンズＬ１の前方に配置され、バリアカバー７７に形成した開口部７７ａを開閉する。１群レンズＬ１のレンズ面は開口部７７ａから外部に露出する。バリア羽根７３、７４、７５の腕部の先端にそれぞれ形成された孔７３ａ、７４ａ、７５ａは、１群鏡筒１２に形成した複数の軸１２ｃにより回転可能に支持されている。
【００２０】
一対のバリアスプリング７２は、それらの一端がバリア羽根７３に形成したバネ掛け用のフック（不図示）にそれぞれ引っ掛けられ、他端がバリア駆動リング７１に形成したバネ掛け用のフック７１ｂにそれぞれ掛けられる。バリア駆動リング７１には時計回り方向（図５の矢印Ｇ方向）への回転力が働き、バリア羽根７３、７４、７５はバリアカバー７７の開口部７７ａを開く方向へ付勢されている。バリアカバー７７は固定テープ７６により、１群鏡筒１２に固定されている。
【００２１】
次に図６から図９を参照して第２光学ユニット２００について説明する。図６は、第２撮影光軸Ｂに沿った方向（以下、Ｂ方向という）へ移動する第２光学ユニット２００と駆動機構部を例示する分解斜視図である。図７は、第３レンズ群ユニット３０の構成例を示す分解斜視図である。第３レンズ群ユニット３０は、撮影位置と退避位置との間を移動する可動光学部材（第２光学手段）である。撮影位置において第３レンズ群ユニット３０は第１撮影光軸上に位置する。図８は、第３レンズ枠３２の被駆動軸３２ｃが直進筒７の孔部に挿入された状態を背面側から見た場合の部分斜視図である。図９は、第２光学ユニット２００の撮影可能状態を示す背面図である。
【００２２】
図６に示すように、第２光学ユニット２００は、第３レンズ群ユニット３０、第４レンズ群ユニット４０、第５レンズ群ユニット５０、第６レンズ群ユニット６０を備える。第３レンズ群ユニット３０、第４レンズ群ユニット４０、第５レンズ群ユニット５０、第６レンズ群ユニット６０はそれぞれ一対のメインガイド軸８２、８３に沿ってＢ方向に移動可能である。第３レンズ群ユニット３０と第５レンズ群ユニット５０に対して、３群スプリング３６、５群スプリング５２が付勢手段として設けられている。また、駆動機構部として、第２光学ユニット２００は、カム筒駆動装置９０、４群駆動装置９１、６群駆動装置９２を備える。第２光学ユニット２００を通過した光は、光学フィルタＦを介して撮像素子Ｓに到達し、光電変換により撮像信号が出力される。固定地板８０は撮像素子Ｓと光学フィルタＦを保持する。
【００２３】
図７を参照して、第３レンズ群ユニット３０の構成を説明する。３群レンズＬ３は反射面Ｌ３ａ（図２参照）を有する光学部材である。３群レンズ枠３２は３群レンズＬ３の保持部材であり、３群地板３１に対して回動可能な状態で支持される。３群地板３１は、外周側の各端部に形成したガイド部３１ａと振れ止め部３１ｂを有し、固定地板８０に配置されたメインガイド軸８２、８３（図６参照）とそれぞれ係合する。これにより、３群レンズ枠３２はＢ方向に移動可能に支持される。
【００２４】
３群レンズ枠３２は、その嵌合部３２ａが３群地板３１に形成された支持部３１ｃと３１ｄとの間に配置され、第２撮影光軸Ｂと直交する方向に配置された３群ガイド軸３４により３群地板３１に対して回動可能に支持されている。これらの部材は３群ガイド軸３４を回転軸として３群レンズ枠３２を支持する回転支持手段を構成する。３群レンズ枠３２は、３群圧縮トーションスプリング３３により、第１撮影光軸Ａ及び第２撮影光軸Ｂを含む面に対して直交する方向の軸を中心にして所定の回動方向（図７矢印Ｈ方向）へ付勢されている。３群レンズ枠３２は側面に突起部３２ｂを備える。この突起部３２ｂは、第１撮影光軸Ａと第２撮影光軸Ｂが９０°の角度で交差する撮影位置にて、３群地板３１に形成された位置規制部３１ｅと当接する（図１２（Ｄ）参照）。また、３群レンズ枠３２は３群レンズ枠３２の突起部３２ｂから離れた位置に被駆動軸３２ｃを備える。被駆動軸３２ｃは、図８に示すように、直進筒７のカム部７ｆと所定の隙間をもって配置されている。このカム部７ｆは、第２撮影光軸Ｂに関して固定地板８０の２群駆動部８０ａと対向する位置に配置されている。沈胴状態への移行動作時において直進筒７のカム部７ｆにより被駆動軸３２ｃが押圧される。その詳細については第３レンズ群ユニット３０の退避動作の説明にて後述する。
【００２５】
圧縮トーションスプリング３３は、３群地板３１の支持部３１ｃと、３群レンズ枠３２の嵌合部３２ａの端部との間に配置される。圧縮トーションスプリング３３はコイル部３３ａと２本の腕部３３ｂを有する。コイル部３２ａは、３群レンズ枠３２を３群地板３１の支持部３１ｄに近づける方向（図７の矢印Ｄ方向）へ付勢する。また、一方の腕部３３ｂは、３群地板３１に形成された凹部（不図示）に引っ掛けられ、他方の腕部３３ｂは３群レンズ枠３２に形成されたバネ掛け用のフック３２ｄに引っ掛けられる。圧縮トーションスプリング３３は、３群レンズ枠３２に対して図７のＤ方向から見て反時計回り方向（矢印Ｈ方向）へ付勢している。３群カバー３５は第３レンズＬ３の反射面Ｌ３ａ（図１、図２参照）を覆う部材である。また、３群カバー３５は２個の固定爪３５ａを有する。各固定爪３５ａは、３群レンズ枠３２に形成した２個の突起部３２ｅにそれぞれ係止される。固定爪３５ａが突起部３２ｅに係止することによって、３群カバー３５は３群レンズ枠３２に固定される。
【００２６】
図９に示すように、３群地板３１はバネ掛け用のフック３１ｆを備える。また、固定地板８０は、バネ掛け用のフック８０ｃを備える。３群スプリング３６の各端部は、フック３１ｆとフック８０ｃにそれぞれ引っ掛けられる。第３レンズ群ユニット３０は、３群スプリング３６のバネ力により、固定地板８０に形成した位置規制部８０ｄに当接する方向へ付勢される。３群スプリング３６は、第３レンズ群ユニット３０を第１撮影光軸Ａの側へ移動させる第２駆動手段を構成する。
第４レンズ群ユニット４０は、図６に示すように、４群レンズＬ４、４群レンズ枠４１、シャッターユニット４２、ラック４３を備える。４群レンズ枠４１は、４群レンズＬ４とシャッターユニット４２を保持する。４群レンズ枠４１は外周部に、ガイド部４１ａと振れ止め部４１ｂを備える。ガイド部４１ａは、固定地板８０に配置されたメインガイド軸８３と嵌合する。振れ止め部４１ｂは、固定地板８０に配置されたメインガイド軸８２と嵌合する。これらのガイド軸により、第４レンズ群ユニット４０はＢ方向に移動可能な状態で支持されている。
【００２７】
４群レンズ枠４１はラック４３を備える。ラック４３は、４群レンズ枠４１と一体的にＢ方向に移動する。ラック４３は４群駆動装置９１のスクリュー９１ｂに螺合している。このため、第４レンズ群ユニット４０は４群駆動装置９１のスクリュー９１ｂのリードに沿って移動する。
第５レンズ群ユニット５０は、図６に示すように、５群レンズＬ５、５群レンズ枠５１を備える。５群レンズ枠５１は５群レンズＬ５を保持する。５群レンズ枠５１は、外周部にガイド部５１ａと振れ止め部５１ｂを有する。ガイド部５１ａはメインガイド軸８２と嵌合し、振れ止め部５１ｂはメインガイド軸８３と嵌合する。これらのガイド軸により、第５レンズ群ユニット５０は、Ｂ方向に移動可能な状態で支持されている。図９に示すように、５群レンズ枠５１はバネ掛け用のフック５１ｃを備える。また、固定地板８０はバネ掛け用のフック８０ｅを備える。これらのフックに引っ掛けられた５群スプリング５２のバネ力により、第５レンズ群ユニット５０は固定地板８０に形成した位置規制部８０ｆに当接する方向へ付勢されている。
【００２８】
第６レンズ群ユニット６０は、図６に示すように、６群レンズＬ６、６群レンズ枠６１、ラック６２を備える。６群レンズＬ６を保持する６群レンズ枠６１は、その外周部にガイド部６１ａと振れ止め部６１ｂを有する。ガイド部６１ａはメインガイド軸８３と嵌合し、振れ止め部６１はメインガイド軸８２と嵌合している。これらのガイド軸により、第６レンズ群ユニット６０は、Ｂ方向に移動可能な状態で支持されている。また、６群レンズ枠６１に配置したラック６２は、６群レンズ枠６１と一体的にＢ方向に移動する。ラック６２は６群駆動装置９２のスクリュー９２ｂに螺合しており、第６レンズ群ユニット６０は６群駆動装置９２のスクリュー９２ｂのリードに沿って移動する。
【００２９】
駆動機構部を構成するカム筒駆動装置９０は、図６に示すように、ズームモータ９０ａ、ギア部９０ｂ、ギア地板９０ｃを備える。ズームモータ９０ａとギア部９０ｂはギア地板９０ｃに支持されるとともに、固定地板８０に固定されている。４群駆動装置９１は、ステッピングモータ９１ａ、スクリュー９１ｂを備えており、固定地板８０に固定されている。６群駆動装置９２は、ステッピングモータ９２ａ、スクリュー９２ｂを備えており、固定地板８０に固定されている。各駆動装置は図示しない制御部からの制御信号にしたがって制御される。
【００３０】
次に、図１０及び図１１を参照して、第２レンズ群ユニット２０を構成する２群レンズ枠２２の退避動作について説明する。図１０（Ａ）は２群レンズ枠２２の被駆動部と固定地板８０の２群駆動部との当接状態を示す縦断面図であり、沈胴状態を示す。図１０（Ｂ）はカム筒８が回転し、２群レンズ枠２２が固定地板８０から前進した状態を示す。図１０（Ｃ）は、２群レンズ枠２２が撮影位置に来た状態を示す。図示の煩雑化を避けるためハッチング線を適宜に省略する。また、図１１は、２群レンズ枠２２の退避動作を示す正面図である。図１１（Ａ）は、２群レンズ枠２２が第１撮影光軸Ａから退避した状態を示す。図１１（Ｂ）は２群レンズ枠２２の退避途中状態を示し、図１１（Ｃ）は２群レンズ枠２２が第１撮影光軸Ａ上に進入した状態を示す。
【００３１】
先ず、本実施形態に係るレンズ鏡筒の退避状態から撮影可能状態への移行動作を説明する。図１０（Ａ）及び図１１（Ａ）に示す沈胴状態から、カム筒８はカム筒駆動装置９０により駆動される。そしてカム筒８は、反時計回り方向（図３の矢印Ｋ方向）に回転しながら固定筒９のカム溝９ｂに従って前方（繰出し方向）に移動する。この移動に伴い、第２レンズ群ユニット２０は、カム筒８のカム溝８ｅに従って繰出し方向に移動する。そして第２レンズ群ユニット２０は、図１０（Ｂ）に示す状態となる。このとき、２群レンズ枠２２の被駆動部２２ｂに形成された回転規制部２２ｅと、固定地板８０の２群駆動部８０ａに形成された回転規制部８０ｈとの当接が解除される。２群レンズ枠２２は、図１１（Ｂ）に示すように、チャージされた圧縮トーションスプリング２３のバネ力により、ガイド軸２４を中心として時計回り方向へ回転し、第１撮影光軸Ａへの進入動作を開始する。その後、図１０（Ｃ）に示すように、カム部２２ｄが、固定地板８０の２群駆動部８０ａに形成されたカム部８０ｇから離れる。このカム部２２ｄは２群レンズ枠２２の被駆動部２２ｂに形成されている。そして、２群レンズ枠２２は、図１１（Ｃ）に示すように、２群地板２１の突起部２１ｃと位置規制部２２ｃが当接する位置まで回転して停止する。この撮影位置では第１撮影光軸Ａと２群レンズＬ２の光軸が一致した状態となる。
【００３２】
本実施形態に係るレンズ鏡筒の撮影可能状態から沈胴状態への移行動作では前記と逆の過程を辿る。図１０（Ｃ）及び図１１（Ｃ）に示す撮影可能状態から、カム筒８はカム筒駆動装置９０により駆動される。そしてカム筒８は、時計回り方向（図３の矢印Ｌ方向）に回転しながら固定筒９のカム溝９ｂに従って繰込み方向に移動する。第２レンズ群ユニット２０は、カム筒８のカム溝８ｅに従って固定地板８０側に移動する。そして、図１０（Ｂ）に示すように、２群レンズ枠２２のカム部２２ｄが固定地板８０のカム部８０ｇと当接する。２群レンズ枠２２は、図１１（Ｂ）に示すように、２群レンズ枠２２のカム部２２ｄと固定地板８０のカム部８０ｇとのカム作用で、ガイド軸２４を中心に圧縮トーションスプリング２３をチャージしながら反時計回り方向へ回転する。その後、図１０（Ａ）に示すように、２群レンズ枠２２のカム部２２ｄと固定地板８０のカム部８０ｇとの当接が解除され、２群レンズ枠２２の回転規制部２２ｅが固定地板８０の回転規制部８０ｈに当接する。２群レンズ枠２２は、図１１（Ａ）に示すように、２群レンズＬ２の光軸が第１撮影光軸Ａから外れた退避位置で保持される。そして本実施形態に係るレンズ鏡筒は、沈胴状態となる。
【００３３】
次に、図１２を参照して、第３レンズ群ユニット３０の退避動作について説明する。図１２（Ａ）は直進筒７と第３レンズ群ユニット３０との当接状態を示す横断面図であり、沈胴状態を示す。図１２（Ｂ）はカム筒８が回転し、直進筒７が前進した状態を示し、図１２（Ｃ）は直進筒７が図１２（Ｂ）の状態から更に前進した状態を示す。図１２（Ｄ）は、本実施形態に係るレンズ鏡筒の撮影可能状態を示す。
【００３４】
まず、本実施形態に係るレンズ鏡筒の沈胴状態から撮影可能状態への移行動作について説明する。図１２（Ａ）に示す沈胴状態から、カム筒８はカム筒駆動装置９０により駆動され、反時計回り方向（図３矢印Ｋ方向）に回転しながら固定筒９のカム溝９ｂに従って繰出し方向に移動する。この時、直進筒７もカム筒８に追従して繰出し方向に移動する。図１２（Ｂ）に示すように、直進筒７に形成された移動規制部７ｋと、３群地板３１に形成された移動規制部３１ｇとの当接が解除される。よって、３群地板３１は、チャージされた３群スプリング３６のバネ力により、第１撮影光軸Ａの側への進入動作を開始する。また、３群レンズ枠３２は、チャージされた圧縮トーションスプリング３３のバネ力により、ガイド軸３４を中心に図１２の反時計回り方向へ回転し、第１撮影光軸Ａと第２撮影光軸Ｂへの進入動作を開始する。図１２（Ｃ）の状態では、直進筒７のカム部７ｆと３群レンズ枠３２の被駆動軸３２ｃ（被駆動部）とが当接している。直進筒７がさらに前進し、図１２（Ｄ）に示すように撮影位置まで移動すると、直進筒７のカム部７ｆが３群レンズ枠３２の被駆動軸３２ｃから離れる。そして、３群地板３１は、固定地板８０の位置規制部８０ｄ（図９参照）に当接する位置まで移動する。また、３群レンズ枠３２は、３群レンズ枠３２の突起部３２ｂが３群地板３１の位置規制部３１ｅに当接する位置まで回転して停止する。このとき、第３レンズ群ユニット３０は、第１撮影光軸Ａ及び第２撮影光軸Ｂに進入した状態となり、反射面Ｌ３ａ上にて第１撮影光軸Ａと第２撮影光軸Ｂとが直交した撮影可能状態となる。
【００３５】
本実施形態に係るレンズ鏡筒の撮影可能状態から沈胴状態への移行動作では前記と逆の過程を辿る。図１２（Ｄ）に示す撮影可能状態から、カム筒８はカム筒駆動装置９０により駆動され、時計回り方向（図３矢印Ｌ方向）に回転しながら固定筒９のカム溝９ｂに従って繰込み方向に移動する。この時、直進筒７もカム筒８に追従して繰込み方向に移動し、図１２（Ｃ）に示すように、３群レンズ枠３２の被駆動軸３２ｃが直進筒７のカム部７ｆにより押圧される。この押圧により、３群レンズ枠３２は、直進筒７のカム部７ｆのカム作用で、ガイド軸３４を中心に圧縮トーションスプリング３３をチャージしながら時計回り方向へ回転し、退避動作を開始する。３群地板３１は、図１２（Ｂ）に示すように、直進筒７に形成されたカム部７ｉと３群地板３１に形成されたカム部３１ｆとの作用により、３群スプリング３６をチャージしながら撮像素子Ｓ側への移動を開始する。その後、図１２（Ａ）に示すように、直進筒７のカム部７ｉと３群地板３１のカム部３１ｆとの当接が解除され、直進筒７の移動規制部７ｋが３群地板３１の移動規制部３２ｇに当接する。第３レンズ群ユニット３０は、第１撮影光軸Ａと第２撮影光軸Ｂから退避した位置で保持され、沈胴状態となる。このように、直進筒７の繰込み動作に連動する機構により、第３レンズ群ユニット３０を退避させる第２駆動手段が構成されている。
【００３６】
次に、図１３及び図１４を参照して、バリア開閉動作について説明する。図１３はバリア駆動リング７１の被駆動部７１ａと、固定地板８０のバリア駆動部８０ｂとの位置関係を示す縦断面図である。図１３（Ａ）は沈胴状態における両者の位置関係を示し、図１３（Ｂ）は撮影可能状態における両者の位置関係を示す。図示の煩雑化を避けるためにハッチング線は省略している。図１４はバリア開閉動作を示す正面図である。図１４（Ａ）はバリア全閉状態を示し、図１４（Ｂ）はバリア全開状態を示す。
【００３７】
まず、沈胴状態から撮影可能状態への移行動作を説明する。図１３（Ａ）及び図１４（Ａ）に示す沈胴状態から、カム筒８はカム筒駆動装置９０により駆動され、反時計回り方向（図３矢印Ｋ方向）に回転しながら固定筒９のカム溝９ｂに従って繰出し方向に移動する。この移動に伴い、第１レンズ群ユニット１０は、カム筒８のカム溝８ｃに従って繰出し方向に移動する。バリア駆動リング７１は、チャージされたバリアスプリング７２のバネ力により、第１撮影光軸Ａを中心に図１４にて時計回り方向への回転を開始する。この回転に追従して、バリア羽根７３、７４、７５は、１群鏡筒１２に形成された軸１２ｃを中心に反時計回り方向への回転を開始する。その後、図１３（Ｂ）に示すように、バリア駆動リング７１の被駆動部７１ａが固定地板８０のバリア駆動部８０ｂから離れていく。そして、バリア羽根７３、７４、７５は、図１４（Ｂ）に示すように、バリアカバー７７の開口部７７ａから退避して撮影可能状態となる。
【００３８】
撮影可能状態から沈胴状態への移行動作では前記と逆の過程を辿る。図１３（Ｂ）及び図１４（Ｂ）に示す撮影可能状態から、カム筒８はカム筒駆動装置９０により駆動され、時計回り方向（図３矢印Ｌ方向）に回転しながら固定筒９のカム溝９ｂに従って繰込み方向に移動する。この移動に伴い、第１レンズ群ユニット１０は、カム筒８のカム溝８ｃに従って繰込み方向に移動し、バリア駆動リング７１の被駆動部７１ａは、図１３（Ａ）に示すように、固定地板８０のバリア駆動部８０ｂと当接する。バリア駆動リング７１は、図１４（Ａ）に示すように、バリア駆動リング７１の被駆動部７１ａと固定地板８０のバリア駆動部８０ｂとの作用で、第１撮影光軸Ａを中心にバリアスプリング７２をチャージしながら反時計回り方向に回転する。この回転に追従して、バリア羽根７３、７４、７５は、１群鏡筒１２の軸１２ｃを中心に時計回り方向に回転する。バリア羽根７３、７４、７５はバリアカバー７７の開口部７７ａ内に進入し、最終的に１群レンズＬ１が前面から覆い隠されて沈胴状態となる。
【００３９】
次に、図１０から図１６を参照して、第２レンズ群ユニット２０の退避動作と、第３レンズ群ユニット３０の退避動作と、バリア開閉動作とのタイミングについて説明する。図１５は固定筒９の内周面のカム軌跡を概略的に示す図である。横軸方向にカム筒８の回転角度θｘ（ｘ=０，１から９）を示し、縦軸方向には各部の動作タイミングに相当する位置をそれぞれ示す。
（１）  θ０は撮影位置に相当する回転角度を表す。
（２）  θ１は第１レンズ群ユニット１０と第２レンズ群ユニット２０のレンズ群同士の間隔を拡大する回転角度を表す。
（３）  θ２は３群レンズ枠３２の回転動作を開始する回転角度を表す。
（４）  θ３は２群レンズ枠２２の回転退避動作を開始する回転角度を表す。
（５）  θ４は２群レンズ枠２２の回転退避動作を終了する回転角度を表す。
（６）  θ５はバリアユニット７０の閉じ動作を開始する回転角度を表す。
（７）  θ６は３群レンズ枠３２の並進退避動作を開始する回転角度を表す。
（８）  θ７はバリアユニット７０の閉じ動作を終了する回転角度を表す。
（９）  θ８は３群レンズ枠３２の退避動作を終了する回転角度を表す。
（１０）  θ９は沈胴位置に相当する回転角度を表す。
図１６は１群レンズと２群レンズとのレンズ間隔を例示する部分横断面図である。図１６（Ａ）は、接着剤（ＵＶ１、ＵＶ２参照）によるレンズの保持構造を例示し、１群レンズＬ１と２群レンズＬ２とのオーバーラップ量Ｋ２を示す。図１６（Ｂ）は、加締めにより形成された固定部（１１ｅ、２２ｇ参照）によるレンズの保持構造を例示し、１群レンズ固定部１１ｅと２群レンズ固定部２２ｇとのオーバーラップ量Ｋ３を示す。
【００４０】
撮影可能状態から沈胴状態への移行動作にて、図１０（Ｃ）、図１１（Ｃ）、図１２（Ｄ）、図１３（Ｂ）、図１４（Ｂ）に示す撮影（ワイド）状態から、カム筒駆動装置９０によりカム筒８が駆動される。カム筒８は回転しながら固定筒９のカム溝９ｂに従って繰込み動作を開始し、同様に、第１レンズ群ユニット１０は、カム筒８のカム溝８ｃに従って固定地板８０側への移動を開始する。第２レンズ群ユニット２０は、カム筒８のカム溝８ｅに従って固定地板８０側への移動を開始する。
カム筒８が角度θ０からθ１へと回転すると、第２レンズ群ユニット２０は、図１６（Ａ）に示すオーバーラップ量Ｋ２、または図１６（Ｂ）に示すオーバーラップ量Ｋ３より大きい変位量で繰込み方向に移動する。この移動により、２群レンズ枠２２が回転して退避する場合における、１群レンズＬ１と２群レンズＬ２との干渉、または１群レンズ固定部１１ａと２群レンズ固定部２２ｇとの干渉が起きないように防止される。この時、カム筒駆動装置９０にはカム筒８の繰込み動作の負荷が加わっている。
【００４１】
更に、カム筒８が角度θ２まで回転すると、第３レンズ群ユニット３０の回転退避動作が開始する。図１２（Ｃ）に示すように、カム筒８に追従して移動する直進筒７のカム部７ｆが３群レンズ枠３２の被駆動軸３２ｃに当接する。この当接位置から、３群レンズ枠３２は、直進筒７のカム部７ｆに従って、ガイド軸３４を中心に圧縮トーションスプリング３３をチャージしながら時計回り方向へ回転する。この時、カム筒駆動装置９０にはカム筒８の繰込み動作の負荷と、第３レンズ群ユニット３０の回転退避動作の負荷が加わっている。
【００４２】
カム筒８が角度θ３まで回転すると、第３レンズ群ユニット３０の回転退避動作中に、第２レンズ群ユニット２０の回転退避動作が開始する。２群レンズ枠２２のカム部２２ｄは固定地板８０のカム部８０ｇに当接する（図１０（Ｂ）参照）。この当接位置から、２群レンズ枠２２は、固定地板８０のカム部８０ｇに沿って、ガイド軸２４を中心に圧縮トーションスプリング２３をチャージしながら図１１（Ｃ）に示す撮影可能状態から反時計回り方向へ回転する。この時、カム筒駆動装置９０にはカム筒８の繰込み動作の負荷と、第３レンズ群ユニット３０の回転退避動作の負荷と、第２レンズ群ユニット２０の回転退避動作の負荷が加わっている。
【００４３】
カム筒８が角度θ４まで回転すると、第３レンズ群ユニット３０の回転退避動作中に、第２レンズ群ユニット２０の回転退避動作が終了する。２群レンズ枠２２のカム部２２ｄと固定地板８０のカム部８０ｇとの当接が解除される位置で、図１１（Ａ）に示すように、２群レンズ枠２２は第１撮影光軸Ａからの退避動作を終了する。当接解除後、２群レンズ枠２２の回転規制部２２ｅが固定地板８０の回転規制部８０ｈに当接する。θ４以降θ９まで、２群レンズ枠２２は、第１撮影光軸Ａから退避した状態を保持する。この時、カム筒８の繰込み動作の負荷と、第３レンズ群ユニット３０の回転退避動作の負荷がカム筒駆動装置９０に加わっている。
【００４４】
カム筒８が角度θ５まで回転すると、第３レンズ群ユニット３０の回転退避動作中に、バリアユニット７０の閉じ動作が開始する。バリア駆動リング７１の被駆動部７１ａは固定地板８０のバリア駆動部８０ｂに当接する。この当接位置から、バリア駆動リング７１は、固定地板８０のバリア駆動部８０ｂに従って、第１撮影光軸Ａを中心にバリアスプリング７２をチャージしながら図１４（Ｂ）に示す開き状態から反時計回り方向への回転を開始する。この回転に追従して、バリア羽根７３、７４、７５は、１群鏡筒１２の軸１２ｃを中心に時計回り方向へ回転し、バリア閉じ動作を開始する。この時、カム筒駆動装置９０にはカム筒８の繰込み動作の負荷と、第３レンズ群ユニット３０の回転退避動作の負荷と、バリア閉じ動作の負荷が加わっている。
【００４５】
カム筒８が角度θ６まで回転すると、第３レンズ群ユニット３０の回転退避動動作中及びバリアユニット７０の閉じ動作中に、第３レンズ群ユニット３０の並進退避動作が開始する。直進筒７のカム部７ｉは３群地板３１のカム部３１ｆに当接する。３群地板３１は、３群地板３１のカム部３１ｆに従って、３群スプリング３６をチャージしながら撮像素子Ｓ側への移動を開始する。この時、カム筒駆動装置９０にはカム筒８の繰込み動作の負荷と、第３レンズ群ユニット３０の回転退避動作の負荷及び並進退避動作の負荷と、バリア閉じ動作の負荷が加わっている。
【００４６】
カム筒８が角度θ７まで回転すると、第３レンズ群ユニット３０の回転退避動作中及び並進退避動作中に、バリアユニット７０の閉じ動作が終了する。図１４（Ａ）に示すように、バリア羽根７３、７４、７５がバリアカバー７７の開口部７７ａ内へ進入し、１群レンズＬ１の前面を覆いバリア閉じ動作が終了する。バリア閉じ動作終了後もバリア駆動リング７１の被駆動部７１ａが固定地板８０のバリア駆動部８０ｂに当接した状態となっている。従って、カム筒８の回転角度θ７以降もバリア駆動リング７１は、固定地板８０のバリア駆動部８０ｂに沿って第１撮影光軸Ａを中心にバリアスプリング７２をチャージしながら反時計回り方向に回転する。この時、カム筒駆動装置９０にはカム筒８の繰込み動作の負荷と、第３レンズ群ユニット３０の回転退避動作の負荷及び並進退避動作の負荷と、バリア閉じ動作の負荷が加わっている。
【００４７】
カム筒８が角度θ８まで回転すると、第３レンズ群ユニット３０の回転退避動作及び並進退避動作が終了する。直進筒７のカム部７ｉと３群地板３１のカム部３１ｆとの当接が解除される位置で、図１２（Ａ）に示すように３群レンズ枠３２の退避動作が終了する。当接解除後は、直進筒７の移動規制部７ｋが３群地板３１の移動規制部３２ｇに当接するため、カム筒８の回転角度θ８以降、３群レンズ枠３２は、第１撮影光軸Ａ及び第２撮影光軸Ｂから退避した状態で保持される。この時、カム筒駆動装置９０にはカム筒繰込み動作の負荷と、バリア閉じ動作の負荷が加わっている。カム筒８が角度θ９まで回転すると、カム筒８の繰込み動作が終了し、沈胴状態となる（図１０（Ａ）、図１１（Ａ）、図１２（Ａ）、図１３（Ａ）、図１４（Ａ）参照）。
なお、沈胴状態から撮影可能状態への移行動作については、前記の移行動作タイミングと逆になるため、詳細な説明を省略する。
【００４８】
本実施形態によれば、撮影可能状態から沈胴状態への移行動作中に、第３レンズ群ユニット３０の退避動作が行われる。そして第３レンズ群ユニット３０の退避動作の最中に第２レンズ群ユニット２０の回転退避動作とバリアユニット７０の閉じ動作が完了する。駆動負荷バランスを効率良く配分して、移行動作時間を短縮できる。
また、第１光学手段を構成する２群レンズ枠２２の被駆動部２２ｂと、第２光学手段を構成する３群レンズ枠３２の被駆動軸３２ｃは、第１撮影光軸Ａに沿う方向から見た場合に第２撮影光軸Ｂを挟んで対向する位置に設けられている。２群レンズ枠２２の被駆動部２２ｂと、バリア駆動リング７１の被駆動部７１ａは、第１撮影光軸Ａに沿う方向から見た場合に第２撮影光軸Ｂを挟んで対向する位置に設けられている。これにより、カム筒８のこじれを防止でき、カム筒８の駆動負荷を低減することができる。
【００４９】
さらには第３レンズ群ユニット３０の回転及び並進退避動作中に、第２レンズ群ユニット２０の退避動作期間と、バリアユニット７０の閉動作期間とが重複しない。このため、カム筒８にかかる駆動負荷バランスを効率良く配分することができる。
以上、本発明の好ましい実施形態について説明したが、本発明はこれらの実施形態に限定されず、その要旨の範囲内で種々の変形及び変更が可能である。
【符号の説明】
【００５０】
Ｌ２…    ２群レンズ
Ｌ３…    ３群レンズ
２０…    第２レンズ群ユニット（第１光学手段）
２２ｂ、３２ｃ、７１ａ…  被駆動部
３０…    第３レンズ群ユニット（第２光学手段）
３２…    ３群レンズ枠
７０…    バリアユニット
７１…    バリア駆動リング
８０…    固定地板
８０ａ…  ２群駆動部
８０ｂ…  バリア駆動部 
【図１】
2014115536.tif 000003
【図２】
2014115536.tif 000004
【図３】
2014115536.tif 000005
【図４】
2014115536.tif 000006
【図５】
2014115536.tif 000007
【図６】
2014115536.tif 000008
【図７】
2014115536.tif 000009
【図８】
2014115536.tif 000010
【図９】
2014115536.tif 000011
【図１０】
2014115536.tif 000012
【図１１】
2014115536.tif 000013
【図１２】
2014115536.tif 000014
【図１３】
2014115536.tif 000015
【図１４】
2014115536.tif 000016
【図１５】
2014115536.tif 000017
【図１６】
2014115536.tif 000018